(57)【要約】【課題】顧客自分自身に一番合ったプラスチック眼鏡フレームをオーダーメイドによって得る事。【解決手段】小売店側で顔面画像平面化手法を用いて撮影された顧客の顔面正面画像をネット上で共有されるようにし、そして、製造販売メーカーより提供されたフロントフレーム及びサイドフレームの外郭線及び内郭線により囲まれた空白枠形状に関するデータと、その空白枠の中に表示される供給可能なプラスチック板の色と柄に関する画像データとを、製造販売メーカーの遠隔操作により前記顔面正面画像に重ね合わす事が出来る様にされ、インターネット回線を用いた電話通信による直接対話方式により選択叉は変更されたデータによりプラスチック板が加工され眼鏡フレームに仕上げられた事を特徴とするプラスチック眼鏡フレームのオーダーメイドシステム。【選択図】図９
2017040898.tif 000002
【特許請求の範囲】
【請求項１】
プラスチック板を加工して眼鏡フレームを製造販売するプラスチック眼鏡フレームのオーダーメイドシステムであって、小売店側で顔面画像平面化手法を用いて撮影された顧客の顔面正面画像をネット上で共有されるようにし、そして、製造販売メーカーより提供されたフロントフレーム及び側部フレームの外郭線及び内郭線により囲まれた空白枠形状に関するデータと、その空白枠の中に表示される供給可能なプラスチック板の色と柄に関する画像データとを、前記顔面正面画像に重ね合わす事が出来る様にされ、選択叉は変更されたデータによりプラスチック板が加工され眼鏡フレームに仕上げられた事を特徴とするプラスチック眼鏡フレームのオーダーメイドシステム。
【請求項２】
プラスチック板を加工して眼鏡フレームを製造販売するプラスチック眼鏡フレームのオーダーメイドシステムであって、小売店側で顔面画像平面化手法を用いて撮影された顧客の顔面正面画像をネット上で共有されるようにし、そして、製造販売メーカーより提供されたフロントフレーム及び側部フレームの外郭線及び内郭線により囲まれた空白枠形状に関するデータと、その空白枠の中に表示される供給可能なプラスチック板の色と柄に関する画像データとを、製造販売メーカーの遠隔操作により前記顔面正面画像に重ね合わす事が出来る様にされ、インターネット回線を用いた電話通信による直接対話方式により選択叉は変更されたデータによりプラスチック板が加工され眼鏡フレームに仕上げられた事を特徴とするプラスチック眼鏡フレームのオーダーメイドシステム。
【発明の詳細な説明】
【技術分野】
【０００１】  プラスチック板をカットして形成されるプラスチック眼鏡フレームのオーダーメイドシステムに関する。
【背景技術と課題】
【０００２】  従来、自分に合う眼鏡フレームを選ぶ方法としては、先ずは小売店に向かい、小売店店頭に於いてのレンズの調整の後、その小売店の持っているフレームを直接掛けて鏡を見て自分又は店員さんに判断してもらうのが一般的に行われてきた方法である。この方法に於いては、その店では一番似合う眼鏡フレームであることは確かであるが、自分に世界で一番合っているかどうかは解からない。とりわけ、プラスチック板をカットして形成される枠、所謂セル枠に於いては、その色や柄が多種多様に亘る為、メーカーが保持しているか或いは調達出来るプラスチック板の色及び柄の全てを枠にして試着する事は不可能であった。その為顧客自身に合う枠は殆ど見る事も出来ずに見逃してしまっている事の方が多いと言わざるを得なかった。
【課題を解決するための手段】
【０００３】上記課題を解決するために先ず、プラスチック板を加工して眼鏡フレームを製造販売するプラスチック眼鏡フレームのオーダーメイドシステムであって、小売店側で顔面画像平面化手法を用いて撮影された顧客の顔面正面画像をネット上で共有されるようにし、そして、製造販売メーカーより提供されたフロントフレーム及び側部フレームの外郭線及び内郭線により囲まれた空白枠形状に関するデータと、その空白枠の中に表示される供給可能なプラスチック板の色と柄に関する画像データとを、前記顔面正面画像に重ね合わす事が出来る様にされ、選択叉は変更されたデータによりプラスチック板が加工され眼鏡フレームに仕上げられた事を特徴とするプラスチック眼鏡フレームのオーダーメイドシステムの提供を図った。
【０００４】そして、更に、プラスチック板を加工して眼鏡フレームを製造販売するプラスチック眼鏡フレームのオーダーメイドシステムであって、小売店側で顔面画像平面化手法を用いて撮影された顧客の顔面正面画像をネット上で共有されるようにし、そして、製造販売メーカーより提供されたフロントフレーム及び側部フレームの外郭線及び内郭線により囲まれた空白枠形状に関するデータと、その空白枠の中に表示される供給可能なプラスチック板の色と柄に関する画像データとを、製造販売メーカーの遠隔操作により前記顔面正面画像に重ね合わす事が出来る様にされ、インターネット回線を用いた電話通信による対話により選択叉は変更されたデータによりプラスチック板が加工され眼鏡フレームに仕上げられた事を特徴とするプラスチック眼鏡フレームのオーダーメイドシステムの提供を図った。
【発明の効果】
【０００５】本発明によると、殆ど世の中にある枠形状を自分自身の顔に合わせる事が可能であり、又プラスチック板メーカーが持っている殆どの色・柄を、直接対話方式で試し、選ぶ事が出来るので、世界で一つだけのプラスチック眼鏡フレームの速やかなオーダーが可能で顧客満足度は非常に高くなる。
【図面の簡単な説明】
【０００６】
【図１】本発明の実施例のフローチャート図
【図２】本発明の他の実施例のフローチャート図
【図３】デジタルカメラで撮られた顧客の顔面正面画像
【図４】本発明の空白枠形状の正面図面
【図５】プラスチック板の色と柄の種類
【図６】フロントフレームの空白形状
【図７】空白枠形状にプラスチック板が合わされた画像正面図
【図８】側部フレーム形状サンプル
【図９】仕上がりの正面画像
【発明を実施するための最良の形態】
【０００７】プラスチック板を加工して眼鏡フレームを製造販売するプラスチック眼鏡フレームのオーダーメイドシステムであって、小売店側で顔面画像平面化手法を用いて撮影された顧客の顔面正面画像をネット上で共有されるようにし、そして、製造販売メーカーより提供されたフロントフレーム及び側部フレームの外郭線及び内郭線により囲まれた空白枠形状に関するデータと、その空白枠の中に表示される供給可能なプラスチック板の色と柄に関する画像データとを、製造販売メーカーの遠隔操作により前記顔面正面画像に重ね合わす事が出来る様にされ、インターネット回線を用いた電話通信による直接対話方式により選択叉は変更されたデータによりプラスチック板が加工され眼鏡フレームに仕上げられた事を特徴とするプラスチック眼鏡フレームのオーダーメイドシステム。
【実施例１】
【０００８】図によって本発明を説明する。図１は請求項１に関わるフローチャート図で有り、プラスチック板を加工して眼鏡フレームを製造販売するプラスチック眼鏡フレームのオーダーメイドシステムであって、小売店（顧客）側で顔面画像平面化手法を用いて撮影された顧客の顔面正面画像をネット上で共有されるようにする。ここで、顔面画像平面化手法とは、対象顔面を平面的に写真にとる方法であって、デジタルカメラにより２〜３ｍの距離を置いて対象顔面をズームアップして、カメラ枠の短い辺を一杯に顔面の長い辺を合せる様にする。そして、更にフラッシュを焚いて、瞳の真ん中が赤眼又は白眼に写る様にする事である。そうする事により、普通に写真を写すと鼻が大きく写る様な事や、魚眼レンズで写したように変に立体的に見える事が無いようになり、顔が平面的に写される事となる。そして、眼鏡フレームの中心と瞳の中心ＰＤを合せるようにする効果もある。そして、製造販売メーカーより提供されたフロントフレーム及び側部フレームの外郭線及び内郭線により囲まれた空白枠形状に関するデータと、その空白枠の中に表示される供給可能なプラスチック板の色と柄に関する画像データとを、前記顔面正面画像に重ね合わす事が出来る様にされ、選択叉は変更されたデータによりプラスチック板が加工され眼鏡フレームに仕上げられる。
【実施例２】
【０００９】図２は請求項２に関わるフローチャート図で有り、図３〜図９はその具体例の説明図である。この場合は、プラスチック板を加工して眼鏡フレームを製造販売するプラスチック眼鏡フレームのオーダーメイドシステムであって、小売店側で顔面画像平面化手法を用いて撮影された顧客の顔面正面画像をネット上で共有されるようにし、そして、製造販売メーカーより提供されたフロントフレーム及び側部フレームの外郭線及び内郭線により囲まれた空白枠形状に関するデータと、その空白枠の中に表示される供給可能なプラスチック板の色と柄に関する画像データとを、製造販売メーカーの遠隔操作により前記顔面正面画像に重ね合わす事が出来る様にされ、インターネット回線を用いた電話通信による直接対話方式により選択叉は変更されたデータによりプラスチック板が加工され眼鏡フレームに仕上げられる。そして、インターネット回線を用いた電話通信による直接対話方式により速やかに、事細かに眼鏡のオーダーが可能となる。【００１０】ここでインターネット回線を用いた電話通信による直接対話方式とは、ライン（ライン株式会社の登録商標）やスカイプ（スカイプ社の登録商標）などを用いて行う双方向のインターネット電話通信で有り、お互いに共有の画像を見ながら対話が行えるものである。今迄の様な質問事項に答えて行くという様な、対話形式とは異なって時間が掛からず、レスポンスが早くなり正確にも成る。そして更に、製造販売メーカーからの遠隔操作（リモートコントロール）により、そして、装置扱いに慣れた者により時間が節約できる。【００１１】図３は顔面画像平面化手法によりデジタルカメラで撮影された顧客の顔面画像であり、平面化された写真として捉えられ、瞳の中心もはっきり出てＰＤも認識可能となり眼鏡フレームの中心を合せ易くなった。先ずはこの画像が入り口となる。【００１２】図４は図３の顔面画像に合わせられる、外郭線１０と内郭線２０によって囲まれた空白枠形状（１，１ａ，１ｂ…）であり、ほぼ理論的には無数の形状のデザインが考えられ顧客自身ではなかなか決める事は困難である。遠隔操作（リモートコントロール）により製造販売メーカー側がコーディネイト等の手助けが必要となってくる。【００１３】次に図５は製造販売メーカーにより提供される外郭線１０及び内郭線２０により囲まれた空白枠形状（１，１ａ，１ｂ、１ｃ…）の中へ表示されるプラスチック板（４０，４０ａ，４０ｂ…）の色と柄に関するデータであり、これも殆ど無数にあり自分自身で決定するのは困難であり、製造販売メーカーのコーディネーター等に選択決定される事が、素早く似合った物が選ばれる事が可能となる。【００１４】図６図７は、図５で選ばれたプラスチック板（４０，４０ａ，４０ｂ…）の画像データを空白枠形状に合わせた図で有り、この図又は画像は勿論顧客（小売店）側でも製造販売メーカー側でも見られており、次々に差し替えていくことは可能である。【００１５】次に図８は側部フレームの形状（５０，５０ａ，５０ｂ…）及び色・柄の選択であるが、この場合は、フロントフレームほど形状の種類が多くないので、顔面の側部図面（画像）を表示するまでも無く、比較的簡単な選択作業で終了するので顔面側部に表示されるのみとなる。【００１６】図９はフロントフレームの形状、プラスチック板の色・柄の選択、側部フレームの形状と色・柄の選択が終了したコンピューター上の正面画像であり、これから変更する場合は形状合わせ、色・柄合せ迄戻り変更修正を行う事となる。勿論この画面上での枠形状の拡大縮小は可能である。【００１７】これにより決定で有れば画面の決定ボタンを押し、切削データとして入力され選ばれたプラスチック板がカットされ仕上られ納品される事となる。これにより顧客には殆ど世界でオンリーワンのプラスチック眼鏡フレームが手に入り自己満足度は非常に高くなる。
【符号の説明】
【００１８】１                  空白枠形状
１０                空白枠の外郭線
２０                空白枠の内郭線
３０                空白部分
４０                プラスチック板
５０                テンプル形状
【図１】
2017040898.tif 000003
【図２】
2017040898.tif 000004
【図３】
2017040898.tif 000005
【図４】
2017040898.tif 000006
【図５】
2017040898.tif 000007
【図６】
2017040898.tif 000008
【図７】
2017040898.tif 000009
【図８】
2017040898.tif 000010
【図９】
2017040898.tif 000011